(57)【特許請求の範囲】
【請求項１】
結露水回収器Ａと、この結露水回収器Ａに着脱自在に取付けた弾性な挟持部材Ｂとからなり、上記結露水回収器Ａは結露水回収器本体７と、結露水回収器本体７の上部に長手方向に沿って一体に形成した少なくとも一つの蟻溝状の抱持部１０と、結露水回収器本体７の上部に短手方向に沿って一体に形成されながら上記抱持部１０に開口する中央通路６ｃとを備え、上記挟持部材Ｂは上記抱持部１０内に着脱自在に嵌合する弾性支持片Ｂ１と、この支持片Ｂ１の前後両側から立ち上がる一対の脚部Ｂ４、Ｂ５と、これらの脚部Ｂ４，Ｂ５の上部に設けられて相対向する一対の挟持片Ｂ２、Ｂ３とからなり、シートＳを定着した蟻溝フレームＣの底部を上記挟持片Ｂ２、Ｂ３で挟持し、シートＳに結露した結露水Ｗを上記蟻溝フレームＣに沿って流下させながら上記中央通路６ｃ側に回収させるビニールハウスにおける結露水回収装置。
【請求項２】
結露水回収器Ａと、この結露水回収器Ａに着脱自在に取付けた弾性な挟持部材Ｂとからなり、上記結露水回収器Ａは結露水回収器本体７と、結露水回収器本体７の上部に長手方向に沿って一体に形成した少なくとも一つの蟻溝状の抱持部１０と、結露水回収器本体７の上部に短手方向に沿って一体に形成されながら上記抱持部１０に開口する中央通路６ｃとを備え、上記挟持部材Ｂは上記抱持部１０内に着脱自在に嵌合する弾性支持片Ｂ１と、この支持片Ｂ１の前後両側から立ち上がる一対の脚部Ｂ４、Ｂ５と、これらの脚部Ｂ４，Ｂ５の上部に設けられて相対向する一対の挟持片Ｂ２、Ｂ３とからなり、シートＳを定着する蟻溝フレームＣの端部に着脱自在に結合したジョイントＪを上記挟持片Ｂ２、Ｂ３で挟持し、シートＳに結露した結露水Ｗを上記蟻溝フレームＣに沿って流下させながら上記中央通路６ｃ側に回収させるビニールハウスにおける結露水回収装置。
【請求項３】
結露水回収器Ａは結露水回収器本体７の外周に形成されて中央通路６ｃに連通する外側通路６ａ、６ｂと、結露水回収器本体７の上部に抱持部１０と平行に形成した他の蟻溝状の抱持部９と、上記外側通路６ａを外部のホースＤに接続する接続部１３とをそなえている請求項１又は２に記載のビニールハウスにおける結露水回収装置。
【請求項４】
挟持部材Ｂが一本の剛線で成形された左右一対の彎曲した弾性支持片Ｂ１、Ｂ１と、これらの弾性支持片Ｂ１、Ｂ１の前側端部からそれぞれ起立する左右一対のコ字状脚部Ｂ５、Ｂ５と、各脚部Ｂ５、Ｂ５の上端間に連設した水平な前側挟持片Ｂ３と、上記各弾性支持片Ｂ１、Ｂ１の後側端部からそれぞれ起立する左右一対のコ字状脚部Ｂ４、Ｂ４と、各脚部Ｂ４、Ｂ４の上端にそれぞれ左右方向に向けてＬ字状に折り曲げた一対の後側挟持片Ｂ２、Ｂ２とで構成している請求項１、２又は３のビニールハウスにおける結露水回収装置。
【請求項５】
挟持部材Ｂが一枚の板からなる弾性支持片Ｂと、この弾性支持片Ｂ１の前側端部からそれぞれ起立する左右一対の脚部Ｂ５、Ｂ５と、各脚部Ｂ５、Ｂ５の上端にそれぞれ連設したバネ板からなる彎曲した一対の前側挟持片Ｂ３、Ｂ３と、上記弾性支持片Ｂ１の後側端部から起立する左右一対の脚部Ｂ４、Ｂ４と、各脚部Ｂ４、Ｂ４の上端にそれぞれ連設したバネ板からなる彎曲した一対の後側挟持片Ｂ２、Ｂ２とで構成している請求項１、２又は３のビニールハウスにおける結露水回収装置。
【発明の詳細な説明】
【技術分野】
【０００１】
本発明は、アーチパイプ等の骨組み上に展張した合成樹脂製の透明シートに結露した水滴を回収して外部に放水できるビニールハウスにおける結露水回収装置に関する。
【背景技術】
【０００２】
一般に、植物栽培用の温室とされるビニールハウスは、地上に多数のアーチ状パイプを起立し、各パイプ間に横方向に向けてシートの定着装置を架設し、アーチ状パイプの上方に展張された合成樹脂製の透明シートがシートの定着装置を介して定着されている。
【０００３】
このようなシート用の定着装置を用いた近年のビニールハウスでは、シートの内面に結露した水滴の処理が要求されているが、これは、シートに付着した水滴がハウス内の土壌に落下すると植物の根腐され、病気の原因、生育不良等を起こすため、水滴が土壌上に落下する前に回収して、ハウス外に排出するという要求である。
【０００４】
このために、最近は、シートの定着装置に結露水の回収装置が取り付けられるようになっており、例えば、特許文献１、特許文献２に開示されているものが開発されている。
【０００５】
特許文献１に示す結露水回収装置は、長手方向に配置された二つの蟻溝フレームからなるシートの定着装置と、各シートの定着装置を結合するジョイントを兼ねた結露水回収器とからなり、この結露水回収器は、結露水回収器本体と、結露水回収器本体の上部に長手方向に沿って一体に形成した蟻溝状の抱持部と、結露水回収器本体の上部に短手方向に沿って一体に形成されながら上記抱持部に開口する中央通路とを備えたものである。
【０００６】
そして、シートを定着した蟻溝フレームの端部を抱持部内に長手方向に沿って挿入し、シートに結露した結露水を上記蟻溝フレームに沿って流下させながら中央通路で回収して外部のホース側に排水するものである。
【０００７】
他方、特許文献２に開示されている結露水回収装置は、皿状の結露水受け本体と、本体の中央に形成した中央通路と、本体の上面側に前後一対の柱状挟持部からなる蟻溝フレーム保持用の支持部材を左右一対起立して設けたものである。
【０００８】
そして、結露水受け本体を蟻溝フレームの下側から押し上げて一対の柱状挟持部間に蟻溝フレ−ムの底部を嵌合させ、シートに結露した結露水を蟻溝フレームに流下させて中央通路に回収し、更に外部のホースに導くものである。
【特許文献１】特開２００３−１３４９４４号公報（請求項２、図３参照）。
【特許文献２】特開２００５−２３７２８８号公報（要約  図面参照）。
【発明の開示】
【発明が解決しようとする課題】
【０００９】
上記特許文献１に示す結露水回収装置は、機能上特に欠陥があるわけではないが、次のような不具合の改善が望まれている。
【００１０】
すなわち、この結露水回収装置は、抱持部が蟻溝状に形成されていることから、シート定着用の蟻溝フレームの端部を長手方向から抱持部に差込むものである。  
したがって、相対向する二つの蟻溝フレ−ムを長手方向に沿って接続させるためにジョイントを兼ねて使用する場合は問題ないが、既設の蟻溝フレームにおける下側任意の位置に後から結露水回収器を設置しようとする場合や、一度組付けたものを交換、修理のために後から取り外す場合には不都合である。    
何故ならば、上記のように結露水回収器の抱持部が蟻溝状であって、蟻溝フレームの底部の巾よりこの抱持部の開口部の巾が狭く、下から直接抱持部内に蟻溝フレームを嵌合出来ないし、逆に組付けてあるものを下側に引き抜くことも出来ないからである。
【００１１】
他方、特許文献２に示す結露水回収装置は、設置前であろうと、設置後であろうと、何時でも蟻溝フレームの任意の位置に下から結露水回収器を取り付けできる反面、蟻溝フレームを保持する柱状の挟持部がバネ性に劣り、強度が弱くて耐久性に欠け、長期間の使用中や、繰り返して使用すると脱落したり、挟持部が欠損する恐れがある。
【００１２】
この不具合を解決するには挟持部のバネ性や耐久性を向上させる構造、材料を使用すればよいが、その場合には加工性、経済性において不利となる。
【００１３】
そこで本発明の目的は、蟻溝フレームに対して長手方向のみならず、下側から任意の位置に何時でも着脱でき、バネ性に富み、耐久性があり、しかも従来の結露水回収器を兼ねたジョイントとしてもそのまま使用も出来るビニールハウスにおける結露水回収装置を提供することである。
【課題を解決するための手段】
【００１４】
上記の目的を達成するため、本発明の一つの手段は、 結露水回収器と、この結露水回収器に着脱自在に取付けた弾性な挟持部材とからなり、上記結露水回収器は、結露水回収器本体と、結露水回収器本体の上部に長手方向に沿って一体に形成した少なくとも一つの蟻溝状の抱持部と、結露水回収器本体の上部に短手方向に沿って一体に形成されながら上記抱持部に開口する中央通路とを備え、上記挟持部材は上記抱持部内に着脱自在に嵌合する弾性支持片と、この支持片の前後両側から立ち上がる一対の脚部と、これらの脚部の上部に設けられて相対向する一対の挟持片とからなり、シートを定着した蟻溝フレームの底部を上記挟持片で挟持し、シートに結露した結露水を上記蟻溝フレームに沿って流下させながら上記中央通路側に回収させることを特徴とするものである。
【００１５】
同じく、他の手段は、 結露水回収器と、この結露水回収器に着脱自在に取付けた弾性な挟持部材とからなり、上記結露水回収器は結露水回収器本体と、結露水回収器本体の上部に長手方向に沿って一体に形成した少なくとも一つの蟻溝状の抱持部と、結露水回収器本体の上部に短手方向に沿って一体に形成されながら上記抱持部に開口する中央通路とを備え、上記挟持部材は上記抱持部内に着脱自在に嵌合する弾性支持片と、この支持片の前後両側から立ち上がる一対の脚部と、これらの脚部の上部に設けられて相対向する一対の挟持片とからなり、シートを定着した蟻溝フレームの底部を上記挟持片で挟持し、シートに結露した結露水を上記蟻溝フレームに沿って流下させながら上記中央通路側に回収させることを特徴とするものである。
【００１６】
上記の各手段の場合、結露水回収器は結露水回収器本体の外周に形成されて中央通路に連通する外側通路と、結露水回収器本体の上部に抱持部と平行に形成した他の蟻溝状の抱持部と、上記外側通路を外部のホースに接続する接続部とを備えているのが好ましい。
【００１７】
同じく、挟持部材が一本の剛線で成形された左右一対の彎曲した弾性支持片と、これらの弾性支持片の前側端部からそれぞれ起立する左右一対のコ字状脚部と、各脚部の上端間に連設した水平な前側挟持片と、上記各弾性支持片の後側端部からそれぞれ起立する左右一対のコ字状脚部と、各脚部の上端にそれぞれ左右方向に向けてＬ字状に折り曲げた一対の後側挟持片とで構成していても良い。
【発明の効果】
【００１８】
各請求項の発明によれば次の特有の効果を達成できる。
【００１９】
Ａ）  請求項１の発明によれば、結露水回収装置は結露水回収器Ａと、挟持部材Ｂとからなっているから、挟持部材Ｂを介してシートを定着した蟻溝フレームＣを直接に結露水回収器Ａにワンタッチで着脱できる。
【００２０】
この場合、挟持部材Ｂが弾性を有しているから、一対の挟持片Ｂ２，Ｂ３がバネ効果を発揮し、この一対の挟持片Ｂ２，Ｂ３を互いに離れる方向に拡げたり、近づける方向に収縮させることが出来る。
【００２１】
その結果、既設の蟻溝フレームＣの底部に対して下から強制的に挟持部材Ｂを押し込むと一対の挟持片Ｂ２，Ｂ３が拡がり、当該挟持片Ｂ２，Ｂ３間に蟻溝フレームＣを嵌合できる。
【００２２】
又、予め、蟻溝フレームＣに結露水回収装置を取り付けている状態でこれを交換、修理する場合でも、上記と逆に挟持片Ｂ２，Ｂ３を蟻溝フレームＣの底部から引き抜くことが出来る。
【００２３】
Ｂ）  更に、結露水回収装置はビニールハウスに予め設置された既設の蟻溝フレームＣのみならず、これから設置しようとする蟻溝フレームＣにも取り付け可能であり、しかも蟻溝フレームＣに対するその取り付け位置はどこでも良く、ビニールハウスの施工、解体、修理の作業性の向上をはかれる。
【００２４】
Ｃ）  挟持部材Ｂは結露水回収器Ａに対して着脱自在であるから、これを外して特許文献１に示す従来のように結露水回収器Ａ自体をジョイントを兼ねた単独の結露水回収装置としても単独で使用可能である。
【００２５】
Ｄ）  挟持部材Ｂは構造簡単であり、その成形が容易であり、既存の結露水回収器Ａに組付けるだけで使用ができるから、全体の結露水回収装置自体の加工性、組付性、経済性の向上を図れる。
【００２６】
Ｅ）請求項２の発明によれば、蟻溝フレームＣにあらかじめジョイントＪを取り付けておき、このジョイントＪを弾性な挟持部材Ｂの挟持片Ｂ２，Ｂ３間に嵌合することで蟻溝フレームＣの底部に結露水回収器Ａを直接取り付けできる。
【００２７】
あるいは、あらかじめジョイントＪを挟持部材Ｂを介して結露水回収器Ａ側に取り付けておき、この状態で、ジョイントＪの端部側から軸方向に沿ってシート定着用の蟻溝フレームＣを差し込んで装着することもできる。
【発明を実施するための最良の形態】
【００２８】
以下、本発明の一実施の形態を図に基づいて説明する。
【００２９】
図１乃至図５、図８は本発明に一実施の形態を示し、図６、図７は他の実施の形態を示す。
【００３０】
各実施の形態に係る結露水回収装置Ｐは、結露水回収器Ａと、この結露水回収器Ａに着脱自在に取付けた弾性な挟持部材Ｂとからなるものである。
【００３１】
即ち、各実施の形態では、特許文献１に示す従来の結露水回収器Ａを利用し、これに弾性な挟持部材Ｂを付加したものである。
【００３２】
したがって、結露水回収器Ａ自体は従来のように単独でもジョイントを兼ねた結露水回収装置として使用できる。
【００３３】
本発明の各実施の形態では、既設のシート定着用の蟻溝フレームＣの任意の底部位置に下方から押し上げて簡単に結露水回収器Ａを取り付けでき、又は、これを交換、修理のために簡単に取り外しできるように弾性な挟持部材Ｂを追加して設けたものである。
【００３４】
結露水回収器Ａは、従来と同じく、結露水回収器本体７と、結露水回収器本体７の上部に長手方向に沿って一体に形成した少なくとも一つの蟻溝状の抱持部１０と、結露水回収器本体７の上部に短手方向に沿って一体に形成されながら上記抱持部１０に開口する中央通路６ｃとを備えている。
【００３５】
弾性な挟持部材Ｂは図１、図２に示すように、上記抱持部１０内に着脱自在に嵌合する弾性支持片Ｂ１と、この支持片Ｂ１の前後両側から立ち上がる一対の脚部Ｂ４、Ｂ５と、これらの脚部Ｂ４，Ｂ５の上部に設けられて相対向する一対の挟持片Ｂ２、Ｂ３とからなっている。
【００３６】
更に、上記結露水回収器Ａは結露水回収器本体７の外周に形成されて中央通路６ｃに連通する外側通路６ａ、６ｂと、結露水回収器本体７の上部に抱持部１０と平行に形成した他の蟻溝状の抱持部９と、上記外側通路６ａを外部のホースＤに接続する接続部１３とを備えている。
【００３７】
これにより、図３、図４、図８に示すように、シートＳを定着した蟻溝フレームＣの底部を上記挟持片Ｂ２、Ｂ３で挟持し、シートＳに結露した結露水Ｗを上記蟻溝フレームＣにおける後述の樋フレーム２Ｃに沿って流下させながら上記中央通路６ｃ側に回収させるものである。
【００３８】
図１乃至図５の実施の形態では、図１、図２から分かるように、挟持部材Ｂが一本の剛線で成形された左右一対の彎曲した弾性支持片Ｂ１、Ｂ１と、これらの弾性支持片Ｂ１、Ｂ１の前側端部からそれぞれ起立する左右一対のコ字状脚部Ｂ５、Ｂ５と、各脚部Ｂ５、Ｂ５の上端間に連設した水平な前側挟持片Ｂ３と、上記各弾性支持片Ｂ１、Ｂ１の後側端部からそれぞれ起立する左右一対のコ字状脚部Ｂ４、Ｂ４と、各脚部Ｂ４、Ｂ４の上端にそれぞれ左右方向に向けてＬ字状に折り曲げた一対の後側挟持片Ｂ２、Ｂ２とで構成している。
【００３９】
他方、図７における他の実施の形態では、結露水回収器Ａは、図１の実施の形態と同じであり、挟持部材Ｂの形状を変更したものである。
【００４０】
即ち、上記挟持部材Ｂが一枚の板からなる弾性支持片Ｂと、この弾性支持片Ｂ１の前側端部からそれぞれ起立する左右一対の脚部Ｂ５、Ｂ５と、各脚部Ｂ５、Ｂ５の上端にそれぞれ連設したバネ板からなる彎曲した一対の前側挟持片Ｂ３、Ｂ３と、上記弾性支持片Ｂ１の後側端部から起立する左右一対の脚部Ｂ４、Ｂ４と、各脚部Ｂ４、Ｂ４の上端にそれぞれ連設したバネ板からなる彎曲した一対の後側挟持片Ｂ２、Ｂ２とで構成している。
【００４１】
作用効果は図１の実施の形態と同じである。
【００４２】
図３、図８に示すように、シートＳを定着した蟻溝フレームＣは、地上に起立する骨組みたるアーチ状パイプ１に直交して架設され、ジョイント等の取り付け部材を介してアーチ状パイプ１に結合されている。
【００４３】
蟻溝フレームＣは、図３、図５に示すように、開口部幅狭の第一の蟻溝フレーム２と、第一の蟻溝フレーム２の斜め下方に連設した開口部幅狭の第二の蟻溝フレーム３と、第一，第二の蟻溝フレーム２、３の一方または両方に嵌合する弾性な係止線条４とで構成されている。
【００４４】
第一および第二の蟻溝フレーム２、３の一方または両方には、合成樹脂製の透明シートＳが定着される。即ち、例えば、第一の蟻溝フレーム２には骨組み上の屋根側に展張されたシートＳの端部が定着され、第二の蟻溝フレーム３には換気用のシートＳの端部が定着されている。
【００４５】
第一の蟻溝フレーム２の背面又は背面近傍には第二の蟻溝フレーム３とは逆方向に起立する断面Ｌ字状の樋フレーム２ｃが形成され、この樋フレーム２ｃが図３、図４に示すように、シートＳの内面に結露した水滴を回収、排水する樋として使用される。
【００４６】
即ち、ハウス使用中に上方のシートＳの内面に水滴が結露され、この水滴がある重さになると、シートＳの内面をつたわって、Ｌ字状の樋フレーム２ｃ内に流れる。
【００４７】
そして、Ｌ字状の樋フレーム２ｃが樋となって水を流し、結露水回収器Ａの通路６ａからホースＤを介して、ビニールハウスの谷部における樋Ｅ（図８）に排水する。
【００４８】
図６は本発明の他の実施の形態に係わる結露水回収装置を示す。
【００４９】
これは、図１の実施の形態と基本構造は同じであるが、使用の態様によって、シート定着用の蟻溝フレームＣの端部に結合したジョイントＪに対して下から取り付けできるようにしたものである。
【００５０】
すなわち、この結露水回収装置は、図１の場合と同じく、 結露水回収器Ａと、この結露水回収器Ａに着脱自在に取付けた弾性な挟持部材Ｂとからなり、上記結露水回収器Ａは結露水回収器本体７と、結露水回収器本体７の上部に長手方向に沿って一体に形成した少なくとも一つの蟻溝状の抱持部１０と、結露水回収器本体７の上部に短手方向に沿って一体に形成されながら上記抱持部１０に開口する中央通路６ｃとを備え、上記挟持部材Ｂは上記抱持部１０内に着脱自在に嵌合する弾性支持片Ｂ１と、この支持片Ｂ１の前後両側から立ち上がる一対の脚部Ｂ４、Ｂ５と、これらの脚部Ｂ４，Ｂ５の上部に設けられて相対向する一対の挟持片Ｂ２、Ｂ３とからなっている。
【００５１】
そして、この実施の形態では、シートＳを定着した蟻溝フレームＣの底部を上記挟持片Ｂ２、Ｂ３で挟持し、シートＳに結露した結露水Ｗを上記蟻溝フレームＣに沿って流下させながら上記中央通路６ｃ側に回収させるものである。
【００５２】
蟻溝フレームＣを長手方向に沿って結合する場合上記のジョイントＪの両端に相対向する一対の蟻溝フレームＣ、Ｃを差込んで結合する。
【００５３】
そして、このジョイントＪに結露水回収器Ａを結合する場合は図３に示す実施の形態と同じように、ジョイントＪの底部に下方から挟持部材Ｂを押し上げて嵌合するものである。
【００５４】
尚、あらかじめジョイントＪを挟持部材Ｂを介して結露水回収器Ａ側に取り付けておき、この状態で、ジョイントＪの一端側又は両端側から左右軸方向に沿ってシート定着用の蟻溝フレームＣを差し込んで装着することもできる。
【００５５】
ジョイントＪの両端部を外方に向けて拡げておくと蟻溝フレームＣの挿入が良いとなる。
【００５６】
その他の作用効果は図１、図７の実施の形態の場合と同じである。
【図面の簡単な説明】
【００５７】
【図１】本発明一実施の形態に係わる結露水回収装置の斜視図である。
【図２】弾性な挟持部材の一実施の形態にかかる斜視図である。
【図３】結露水回収装置をビニールハウスに取り付けた状態の拡大斜視図である。
【図４】図３のＸ−Ｘ線縦断側面図である。
【図５】図３の分解斜視図である。
【図６】結露水回収装置の他の取り付け状態を示す分解斜視図である。
【図７】他の実施の形態に係わる弾性な挟持部材の斜視図である。
【図８】図１の結露水回収装置を取り付けたビニールハウスの一部切欠き斜視図である。
【符号の説明】
【００５８】
Ａ          結露水回収器Ａと、
Ｂ          挟持部材Ｂ
７          結露水回収器本体
９          抱持部
１０        蟻溝状の抱持部１０
１３        接続部
６ａ，６ｂ  外側通路    
６ｃ        中央通路６ｃ
Ｂ１        弾性支持片
Ｂ４，Ｂ５  脚部
Ｂ２，Ｂ３  挟持片
Ｃ          シートＳを定着した蟻溝フレーム
Ｗ          結露水
Ｊ          ジョイント
Ｄ          ホース
【図１】
0004833943.tif 000002
【図２】
0004833943.tif 000003
【図３】
0004833943.tif 000004
【図４】
0004833943.tif 000005
【図５】
0004833943.tif 000006
【図６】
0004833943.tif 000007
【図７】
0004833943.tif 000008
【図８】
0004833943.tif 000009